(57)【特許請求の範囲】
【請求項１】
モバイルメッセージングサービスにおけるファイル送信をサポートするファイル送信管理システムにおいて、
ＩＤで特定される第１のユーザ端末を介して、ファイル選択インターフェースを介してウェブ格納システムにおける格納空間に格納された前記ＩＤで特定される第１のユーザ端末と関連付けられて保存されているファイルのうち送信すべきファイルが選択されると、
ファイル送信管理部は前記ＩＤで特定される第１のユーザ端末を介したファイルの選択に応じて前記選択されたファイルをウェブ格納システムにおける臨時格納空間に格納し、
ダウンロード管理部が、ＩＤで特定される第２のユーザ端末を介して前記ファイルの送信の承認があるまで前記臨時格納空間に保存される前記選択されたファイルを、前記ＩＤで特定される第２のユーザ端末を介した前記選択されたファイルの送信の承認に応じて前記ＩＤで特定される第２のユーザ端末へのダウンロードを開始するよう制御するか
またはダウンロード管理部は前記臨時格納空間に格納された前記選択されたファイルを前記ＩＤで特定される第２のユーザ端末に対応して割り当てられたウェブ格納システムにおける格納空間に格納し、
前記ウェブ格納システムを介して前記ＩＤで特定される第２のユーザ端末において前記格納空間に格納された前記選択されたファイルを確認することが可能となる
ことを特徴とするファイル送信管理システム。
【請求項２】
前記選択されたファイル送信に関し、前記モバイルメッセージングサービスを用いるユーザ端末との接続セッションを管理するセッション制御部をさらに備え、
前記セッション制御部は、前記選択されたファイルの送信に係る送信状態情報及び送信結果情報を前記ＩＤで特定される第１のユーザ端末に送信することを特徴とする請求項１に記載のファイル送信管理システム。
【請求項３】
前記ＩＤで特定される第１のユーザ端末のユーザと前記ＩＤで特定される第２のユーザ端末のユーザとは同一人のユーザである
ことを特徴する請求項１または請求項２のいずれかに記載のファイル送信管理システム。
【請求項４】
請求項１乃至請求項３のいずれか１項に記載のシステムを実行するプログラムを記録したコンピュータ読み出し可能記録媒体。
【請求項５】
モバイルメッセージングサービスにおけるファイル送信をサポートするファイル送信管理を行う方法システムにおいて、
ＩＤで特定される第１のユーザ端末を介して、ファイル選択インターフェースを介してウェブ格納システムにおける格納空間に格納された前記ＩＤで特定される第１のユーザ端末と関連付けられて保存されているファイルのうち送信すべきファイルが選択し、
ファイル送信管理部は前記ＩＤで特定される第１のユーザ端末を介したファイルの選択に応じて前記選択されたファイルをウェブ格納システムにおける臨時格納空間に格納し、
ダウンロード管理部が、ＩＤで特定される第２のユーザ端末を介して前記ファイルの送信の承認があるまで前記臨時格納空間に保存される前記選択されたファイルを、前記ＩＤで特定される第２のユーザ端末を介した前記選択されたファイルの送信の承認に応じて前記ＩＤで特定される第２のユーザ端末へのダウンロードを開始するよう制御するか
またはダウンロード管理部は前記臨時格納空間に格納された前記選択されたファイルを前記ＩＤで特定される第２のユーザ端末に対応して割り当てられたウェブ格納システムにおける格納空間に格納し、
前記格納空間に格納された前記選択されたファイルは、前記ウェブ格納システムを介して前記ＩＤで特定される第２のユーザ端末において確認することが可能である
ことを特徴とするファイル送信管理方法。
【請求項６】
前記選択されたファイル送信に関して前記モバイルメッセージングサービスを用いるユーザ端末との接続セッションを管理するセッション制御部は、前記選択されたファイルの送信に係る送信状態情報及び送信結果情報を前記ＩＤで特定される第１のユーザ端末に送信することをさらに含むことを特徴とする請求項５に記載のファイル送信管理方法。
【請求項７】
前記ＩＤで特定される第１のユーザ端末のユーザと前記ＩＤで特定される第２のユーザ端末のユーザとは同一人のユーザである
ことを特徴する請求項５または請求項６のいずれかに記載のファイル送信管理方法。
【発明の詳細な説明】
【技術分野】
【０００１】
本発明の実施形態は、モバイルメッセージングサービスにおけるファイル送信をサポートするファイル送信管理システム及びファイル送信管理方法に関する。
【背景技術】
【０００２】
メッセンジャーは、有線又は無線ネットワークを介してユーザの間でリアルタイムにメッセージとデータをやりとりすることのできるソフトウェアを意味する。このようなメッセンジャーを利用したモバイルメッセージングサービスは、多人数チャットと音声チャットをサポートし、画像、動画等のファイルの送信もまたサポートしている。
【０００３】
しかし、従来技術に係るモバイルメッセージングサービスは、単純にメッセンジャーがインストールされたＰＣ、モバイル通信機器等の端末の格納空間に格納されたファイルの送信だけをサポートしている。例えば、ＰＣにメッセンジャーがインストールされた場合、ユーザはＰＣのハードディスクに格納されたファイルだけを他のユーザに送信することができる。ＰＣに格納されていないファイルを格納するためには、ファイルをＰＣにダウンロードして格納した後に、メッセンジャーを介して他のユーザに送信しなければならない。また、モバイル端末のようにファイル格納容量がＰＣなどに比べて相対的に制約されている場合、端末の格納空間に格納されたファイルだけを送信することができるという限界は、さらに大きな制約となり得る。すなわち、従来のモバイルメッセージングサービスを介するモバイル端末のファイル送信は、モバイル端末のリソースの限界に伴ってサービスの限界が決定するという制約が存在する。
【０００４】
本発明によれば、モバイルメッセージングサービスを用いてより効果的にファイルを送信することのできるシステム及びその方法が提供される。
【発明の概要】
【発明が解決しようとする課題】
【０００５】
本発明は、モバイルメッセージングサービスにおけるファイル送信時に、ユーザのモバイルメッセージング端末内に格納されるファイル、またはモバイルメッセージング端末以外のウェブ格納空間に格納されるファイルのうちユーザから選択されたファイルを受信して他のユーザに提供することのできるファイル送信管理システム及びその方法を提供する。
【０００６】
また、本発明は、モバイルメッセージングサービスにおけるファイル送信時に、ファイルが提供されるユーザのモバイルメッセージング端末に該当ファイルを送信したり、またはファイルが提供されるユーザのウェブ格納空間に該当ファイルを格納することのできるファイル送信管理システム及びその方法を提供する。
【課題を解決するための手段】
【０００７】
本発明の一実施形態によれば、モバイルメッセージングサービスを介してユーザがユーザと関連するウェブ格納空間に格納されたファイルの送信をリクエストする場合、ウェブ格納空間からファイルを受信するファイル送信管理部を備えるファイル送信管理システムが提供される。
【０００８】
また、ファイル送信管理部は、ユーザがモバイルメッセージングサービスを介して他のユーザにファイル送信をリクエストする場合、ウェブ格納空間に格納されたユーザのファイルのうちユーザによって選択されたファイルを受信するアップロード管理部を備えてもよい。
【０００９】
また、ファイル送信管理部は、リクエストに対応する異なるユーザにファイルを提供するダウンロード管理部を備えてもよい。
【００１０】
また、ダウンロード管理部は、他のユーザの選択によってファイルを他のユーザの端末に送信したり、または他のユーザと関連するウェブ格納空間に格納してもよい。
【００１１】
また、他のユーザと関連するウェブ格納空間に格納されたファイルは、他のユーザに割り当てられた格納空間のうち他のユーザによって選択された経路に対応する格納空間に格納してもよい。
【００１２】
また、ファイルはファイル送信システムと関連する臨時格納システムに格納してもよく、ファイル送信管理部はリクエストに対応する異なるユーザがファイルの送信を承認する場合、臨時格納システムから格納されたファイルを受信して他のユーザに提供してもよい。
【００１３】
また、本発明の一実施形態によれば、モバイルメッセージングサービスを介してユーザがファイルの送信をリクエストする場合、リクエストによって受信したファイルを他のユーザと関連するウェブ格納空間に格納するファイル送信管理部を備えるファイル送信管理システムが提供される。
【００１４】
また、本発明の一実施形態によれば、モバイルメッセージングサービスを介してユーザがユーザと関連するウェブ格納空間に格納されたファイルの送信をリクエストする場合、ウェブ格納空間からファイルを受信するステップを含むファイル送信管理方法が提供される。
【００１５】
また、本発明の一実施形態によれば、モバイルメッセージングサービスを介してユーザがファイルの送信をリクエストする場合、リクエストによって受信したファイルを他のユーザと関連するウェブ格納空間に格納するステップを含むファイル送信管理方法が提供される。
【発明の効果】
【００１６】
本発明によれば、モバイルメッセージングサービスにおけるファイル送信時に、ユーザの端末からアップロードされるファイル、またはユーザのウェブ格納空間に格納されたファイルのうちユーザから選択されたファイルを受信して他のユーザに提供してもよい。
【００１７】
また、モバイルメッセージングサービスにおけるファイル送信時に、ファイルが提供されるユーザの端末に該当ファイルを送信したり、またはファイルが提供されるユーザのウェブ格納空間に該当ファイルを格納してもよい。
【図面の簡単な説明】
【００１８】
【図１】本発明の一実施形態において、ファイル送信管理システムの全体的な環境を示す図である。
【図２】本発明の一実施形態において、モバイルメッセージングサービスでユーザの端末に格納されたファイルをアップロードする過程を示す図である。
【図３】本発明の一実施形態において、モバイルメッセージングサービスでウェブ格納システムに格納されたファイルをアップロードする過程を示す図である。
【図４】本発明の一実施形態において、モバイルメッセージングサービスで受信されるファイルをユーザの端末に格納する過程を示す図である。
【図５】本発明の一実施形態において、モバイルメッセージングサービスで受信されるファイルをユーザと関連するウェブ格納システムに格納する過程を示す図である。
【図６】本発明の一実施形態において、モバイルメッセージングサービスで対話内容を格納する過程を示す図である。
【図７】本発明の一実施形態において、端末に格納されたファイルを選択する画面の一例を示す図である。
【図８】本発明の一実施形態において、ウェブ格納システムに格納されたファイルを選択する画面の一例を示す図である。
【図９】本発明の一実施形態において、ファイル送信時の画面とファイル送信を承認するための画面の一例を示す図である。
【図１０】本発明の一実施形態において、ファイル送信管理システムの内部構成を説明するためのブロック図である。
【発明を実施するための形態】
【００１９】
以下、本発明の実施形態を添付する図面を参照しながら詳細に説明する。
【００２０】
図１は、本発明の一実施形態において、ファイル送信管理システムの全体的な環境を示す図である。図１は、ファイル送信管理システム１００、クライアント１１０、ウェブ格納システム１２０、臨時格納システム１３０、セッション制御サーバ１４０、ＤＢＧＷ（ＤａｔａＢａｓｅ  ＧａｔｅＷａｙ）１５０及びメールサーバ１６０を示している。
【００２１】
本実施形態に係るファイル送信管理システム１００は、モバイルメッセージングサービスを介してユーザ間のファイル送信がリクエストされる場合、ユーザと関連するウェブ格納システム１２０からファイルを受信したり、または受信したファイルをウェブ格納システム１２０に格納してもよい。ここで、ウェブ格納システム１２０は、ウェブ上のファイル格納空間にユーザのファイルをアップロード、またはダウンロードするサービスを提供するシステムを備えてもよい。
【００２２】
この場合、ウェブ格納システム１２０は、単一のシステムであっても、または複数の異なるシステムで構成されるものであってもよい。換言すれば、すべてのユーザに対してそれぞれのユーザに割り当てられたウェブ格納空間を提供する１つのシステムがウェブ格納システム１２０として用いてもよく、少なくとも２人以上のユーザに対してウェブ格納空間を提供する互いに異なるシステムをウェブ格納システム１２０として用いてもよい。すなわち、本発明の一実施形態において、第１ユーザと関連するウェブ格納システム１２０と第２ユーザと関連するウェブ格納システム１２０は互いに同一のシステムであってもよく、互いに異なるシステムであってもよい。
【００２３】
ここで、ファイル送信管理システム１００は、ファイル送信管理部（図示せず）を備えてもよく、ファイル送信管理部（図示せず）を介してファイルの受信、または格納過程を処理してもよい。また、ファイル送信管理システム１００は、ファイル送信管理システム１００と関連する臨時格納システム１３０に受信したファイルを臨時に格納してもよく、臨時格納システム１３０に臨時に格納したファイルを受信してユーザのモバイル端末やウェブ格納システム１２０に送信してもよい。
【００２４】
ここで、ファイル送信管理システム１００は、一実施形態として、第１ユーザがモバイルメッセージングサービスを介して第２ユーザにファイル送信をリクエストする場合、第１ユーザと関連するウェブ格納システム１２０に格納された第１ユーザのファイルのうち第１ユーザによって選択されたファイルを受信して第２ユーザに提供してもよい。この場合、ファイル送信管理システム１００は、第２ユーザの端末や第２ユーザと関連するウェブ格納システム１２０に該当ファイルを送信してもよい。
【００２５】
また、他の実施形態で、ファイル送信管理システム１００は、第１ユーザがモバイルメッセージングサービスを介して第２ユーザにファイル送信をリクエストする場合、受信したファイルを第２ユーザと関連するウェブ格納システム１２０に送信してもよい。この場合、ファイル送信管理システム１００は、第１ユーザの端末や第１ユーザと関連するウェブ格納システム１２０から該当ファイルを受信してもよい。
【００２６】
ここで、ファイル送信管理システム１００で受信した第１ユーザのファイルを臨時格納システム１３０に格納してもよい。例えば、第１ユーザの第２ユーザに対するファイル送信は、第２ユーザがファイル送信を承認する場合にのみ行なってもよく、したがって、ファイル送信管理システム１００は、第２ユーザがファイル送信を承認する前まで臨時格納システム１３０にファイルを臨時に格納してもよい。もし、第２ユーザがファイル送信を承認すれば、ファイル送信管理システム１００は、臨時格納システム１３０に格納されたファイルを受信して第２ユーザに提供してもよい。
【００２７】
ここで、クライアント１１０は、上述したユーザがモバイルメッセージングサービスを用いるために必要な有線または無線端末を意味してもよい。特に、ファイルを送信しようとする第１ユーザ、またはファイルを受信しようとする第２ユーザのうち少なくとも１人のユーザが用いる端末はモバイル端末であってもよい。すなわち、ファイル送信管理システム１００は、ユーザが有線または無線端末を介して他のユーザにファイルを送信しようとする場合、ユーザからのファイルアップロードや、または他のユーザへのファイルダウンロードのうち少なくとも１つの過程をウェブ格納システム１２０を用いて処理することによって、モバイル端末が有するリソースの限界と関係なく、より効率的にファイルの送信を管理することができる。
【００２８】
すなわち、ファイル送信管理システム１００は、ウェブ格納システム１２０と連動してウェブ格納システム１２０に格納されたユーザのファイルのうちユーザが選択するファイルを他のユーザの端末や他のユーザと関連するウェブ格納システム１２０に送信してもよい。一方、ファイル送信管理システム１００は、ユーザの端末やウェブ格納システム１２０に格納されたファイルを受信して他のユーザと関連するウェブ格納システム１２０に格納してもよい。したがって、ユーザは、自身の端末に格納されていないファイルもウェブ格納システム１２０に格納されていれば、該当ファイルを端末にダウンロードしなくとも他のユーザに送信することができ、ファイルを受信するユーザは自分の端末に該当ファイルをダウンロードしなくてもウェブ格納システム１２０に選択的にファイルが格納されるようにしてもよい。ここで、一例として、ファイル送信管理システム１００とウェブ格納システム１２０との間のデータ送受信は、ＴＣＰ（Ｔｒａｎｓｍｉｓｓｉｏｎ  Ｃｏｎｔｒｏｌ  Ｐｒｏｔｏｃｏｌ）／ＨＴＴＰ（ＨｙｐｅｒＴｅｘｔ  Ｔｒａｎｓｆｅｒ  Ｐｒｏｔｏｃｏｌ）を用いて行ってもよい。
【００２９】
臨時格納システム１３０は、上述したようにアップロードされたファイルを臨時に格納してもよい。例えば、ファイル送信管理システム１００は、送信しようとするファイルがアップロードされた後に他のユーザがファイル送信を承認する前まで該当ファイルを臨時格納システム１３０に格納してもよい。すなわち、モバイルメッセージングサービスでは、基本的にファイルを送信しようとする相手方がファイル送信を承認した後にファイルが送信されるため、ファイル送信管理システム１００は、少なくともファイルがアップロードされた時点からファイル送信が承認される時点まで該当ファイルを保持しなければならない。このために、ファイル送信管理システム１００は、このような臨時格納システム１３０にアップロードされたファイルを臨時に格納してもよい。ここで、ファイル送信管理システム１００と臨時格納システム１３０との間のデータ送受信は、一例として、ＴＣＰを用いて行ってもよい。また、臨時格納システム１３０は、一例として、分散サーバとして構成してもよく、この場合、ファイル送信管理システム１００は、分散サーバを管理する臨時格納システム１３０の管理サーバとデータを送受信してもよい。
【００３０】
セッション制御サーバ１４０は、ファイル送信に対してユーザの端末を介する接続セッションを管理してもよい。すなわち、セッション制御サーバ１４０は、ファイル送信管理システム１００とクライアント１１０との間の接続セッションを管理してもよい。このようなセッション制御サーバ１４０は、別のシステムとしてファイル送信管理システム１００と関連して動作してもよく、ファイル送信管理システム１００にセッション制御部（図示せず）として備えられて動作してもよい。また、セッション制御サーバ１４０は、ファイル送信に係る送信状態情報及び送信結果情報をユーザの端末に送信してもよい。例えば、セッション制御サーバ１４０は、ファイルがアップロード中であることを知らせるための情報やファイル送信が完了したことを知らせるための情報などをクライアント１１０に送信してもよい。一例として、ファイル送信管理システム１００とセッション制御サーバ１４０との間のデータ送受信は、各サーバ間の接続保障及びメッセージパケットを送信する送信システムを用いて行ってもよい。
【００３１】
ＤＢＧＷ１５０は、データベースセッション管理及びリクエストされたコマンド（ｃｏｍｍａｎｄ）を割り当てられたクエリに変換して該当クエリに対する結果を返還する。例えば、ＤＢＧＷ１５０は、ファイル送信管理システム１００がクライアント１１０を照会するためのコマンドによってクライアント１１０を照会し、照会結果をファイル送信システム１００に提供してもよい。ここで、ファイル送信管理システム１００がデータベースクエリをリクエストするためのコマンドをＤＢＧＷ１５０にリクエストするために、ＮＰＣ（Ｎｅｔｗｏｒｋ  Ｐａｒａｍｅｔｅｒ  Ｃｏｎｔｒｏｌ）プロトコルを用いてもよい。
【００３２】
メールサーバ１６０は、ユーザ間の対話内容を格納してもよい。すなわち、ファイル送信管理システム１００は、クライアント１１０が対話内容の格納をリクエストする場合、メールサーバ１６０に該当対話内容をクライアント１１０と関連して格納してもよい。それだけでなく、ファイル送信システム１００は、該当対話内容をウェブ格納システム１２０に格納して対話内容がバックアップされるようにしてもよい。
【００３３】
図２は、本発明の一実施形態において、モバイルメッセージングサービスでユーザの端末に格納されたファイルを送信リクエストする過程を示す図である。図２は、図１によって説明したファイル送信管理システム１００、クライアント１１０、臨時格納システム１３０、セッション制御サーバ１４０、及びＤＢＧＷ１５０を示している。
【００３４】
クライアント１１０がファイル送信管理システム１００にファイル送信をリクエストすると共にアップロードのためのファイルを送信すれば（Ｓ２１０）、ファイル送信管理システム１００は、まずＤＢＧＷ１５０を介してクライアント１１０の確認動作または追加動作を行ってもよい（Ｓ２２０）。また、ファイル送信管理システム１００は、アップロードされたファイルを臨時格納システム１３０に格納してもよく（Ｓ２３０）、セッション制御サーバ１４０に送信状態情報または送信結果情報を送信してもよい（Ｓ２４０）。ここで、セッション制御サーバ１４０は、クライアント１１０に送信状態情報または送信結果情報を送信してもよい（Ｓ２５０）。
【００３５】
すなわち、クライアント１１０は、クライアント１１０に格納されたファイルを直接ファイル送信管理システム１００に送信してもよく、ファイル送信管理システム１００は一定期間アップロードされたファイルを臨時格納システム１３０に格納してもよい。例えば、ファイル送信管理システム１００は、ファイルを送信されるユーザがファイル送信を承認して該当ユーザにファイルを送信する前までアップロードされたファイルを臨時格納システム１３０に格納しておいてもよい。
【００３６】
図３は、本発明の一実施形態において、モバイルメッセージングサービスでウェブ格納システムに格納されたファイルを送信リクエストする過程を示す図である。図３は、図１によって説明したファイル送信管理システム１００、クライアント１１０、ウェブ格納システム１２０、臨時格納システム１３０、セッション制御サーバ１４０、及びＤＢＧＷ１５０を示している。
【００３７】
クライアント１１０がファイル送信管理システム１００にファイル送信をリクエストすれば（Ｓ３１０）、ファイル送信管理システム１００は、まずＤＢＧＷ１５０を介してクライアント１１０の確認または追加を実行してもよい（Ｓ３２０）。また、ファイル送信管理システム１００は、ウェブ格納システム１２０を介してクライアント１１０で選択されたファイルを受信してもよく（Ｓ３３０）、受信したファイルを臨時格納システム１３０に格納してもよい（Ｓ３４０）。ここで、ファイル送信管理システム１００はセッション制御サーバ１４０に送信状態情報または送信結果情報を送信してもよく（Ｓ３５０）、セッション制御サーバ１４０はクライアント１１０に送信状態情報または送信結果情報を送信してもよい（Ｓ３６０）。
【００３８】
すなわち、クライアント１１０は、メッセンジャーを介してウェブ格納システム１２０に格納されたクライアント１１０のファイルのうち少なくとも１つのファイルを選択してもよく、ファイル送信管理システム１００はクライアント１１０によって選択されたファイルをウェブ格納システム１２０から受信して臨時格納システム１３０に格納してもよい。
【００３９】
図４は、本発明の一実施形態において、モバイルメッセージングサービスで受信されるファイルをユーザの端末に格納する過程を示す図である。図４は、図１によって説明したファイル送信管理システム１００、クライアント１１０、臨時格納システム１３０、セッション制御サーバ１４０、及びＤＢＧＷ１５０を示している。
【００４０】
クライアント１１０がファイル送信を承認すれば、クライアント１１０からファイル送信管理システム１００にファイルを送信することをリクエストする信号を送信してもよい（Ｓ４１０）。ここで、ファイル送信管理システム１００は、まずＤＢＧＷ１５０を介してクライアント１１０を確認または選択してもよい（Ｓ４２０）。また、ファイル送信管理システム１００は、臨時格納システム１３０に格納されたファイルを受信して（Ｓ４３０）、クライアント１１０に送信してもよい（Ｓ４４０）。すなわち、図２や図３によって臨時格納システム１３０に格納されたファイルをクライアント１１０に送信してもよい。ここで、図２や図３で説明したクライアント１１０がファイルを送信しようとするユーザの端末を意味する場合、図４におけるクライアント１１０は、ファイル送信の対象となる、すなわち受信側のユーザの端末を意味してもよい。換言すれば、互いに異なるユーザの端末にモバイルメッセージングサービスを介してファイルを送信してもよい。もし、同一のユーザが複数の端末でログインすることのできるマルチログインがサポートされているか、または一人のユーザが複数のＩＤによってログインすることが可能な場合には、同一ユーザの複数の端末でモバイルメッセージングサービスを介してファイルを送信又は受信してもよい。
【００４１】
また、ファイル送信管理システム１００はセッション制御サーバ１４０に送信状態情報または送信結果情報を送信してもよく（Ｓ４５０）、セッション制御サーバ１４０はクライアント１１０に送信状態情報または送信結果情報を送信してもよい（Ｓ４６０）。
【００４２】
このように、クライアント１１０は、ファイル送信を承認して自身に送信されるファイルをファイル送信管理システム１００を介して受信できるようになる。
【００４３】
図５は、本発明の一実施形態において、モバイルメッセージングサービスで受信されるファイルをユーザと関連するウェブ格納システムに格納する過程を示す図である。図５は、図１によって説明したファイル送信管理システム１００、クライアント１１０、ウェブ格納システム１２０、臨時格納システム１３０、セッション制御サーバ１４０、及びＤＢＧＷ１５０を示している。
【００４４】
クライアント１１０がファイル送信を承認すれば、クライアント１１０からファイル送信管理システム１００にファイルを送信することをリクエストする信号が送信されてもよい（Ｓ５１０）。ここで、ファイル送信管理システム１００は、まずＤＢＧＷ１５０を介してクライアント１１０を確認または選択してもよい（Ｓ５２０）。また、ファイル送信管理システム１００は、臨時格納システム１３０に格納されたファイルを受信して（Ｓ５３０）、ウェブ格納システム１２０にクライアント１１０と関連して格納してもよい（Ｓ５４０）。例えば、ウェブ格納システム１２０でクライアント１１０に対して割り当てた格納空間に該当ファイルが格納されるようにしてもよい。
【００４５】
また、ファイル送信管理システム１００は、セッション制御サーバ１４０に送信状態情報または送信結果情報を送信してもよく（Ｓ５５０）、セッション制御サーバ１４０はクライアント１１０に送信状態情報または送信結果情報を送信してもよい（Ｓ５６０）。
【００４６】
このように、クライアント１１０は、ファイル送信を承認して自身に送信されるファイルがウェブ格納システム１２０に格納されるようにしてもよく、ウェブ格納システム１２０を介して該当ファイルを確認したり、またはウェブ格納システム１２０で該当ファイルを受信して格納した後に該当ファイルを確認できるようになる。
【００４７】
図６は、本発明の一実施形態において、モバイルメッセージングサービスで対話内容を格納する過程を示す図である。図６は、図１によって説明したファイル送信管理システム１００、クライアント１１０、ウェブ格納システム１２０、セッション制御サーバ１４０、ＤＢＧＷ１５０、及びメールサーバ１６０を示している。
【００４８】
ファイル送信管理システム１００は、クライアント１１０がユーザ間の対話内容のバックアップをリクエストすれば（Ｓ６１０）、まず、ＤＢＧＷ１５０を介してクライアント１１０を確認または選択する（Ｓ６２０）。ここで、ファイル送信管理システム１００は、メールサーバ１６０に対話内容をバックアップしたり（Ｓ６３０）、またはウェブ格納システム１２０に対話内容をバックアップしてもよい（Ｓ６４０）。すなわち、ユーザの端末にメッセンジャーの機能によって対話内容を格納するのとは別に、ウェブ格納システム１２０やメールサーバ１２０に対話内容をバックアップすることによって（Ｓ６３０またはＳ６４０）、端末の故障や、特にモバイル端末の紛失などによって対話内容を消失することを防止することができる。
【００４９】
また、ファイル送信管理システム１００は、セッション制御サーバ１４０にバックアップ状態の情報またはバックアップ結果の情報を送信６５０し、セッション制御サーバ１４０はクライアント１１０にバックアップ状態の情報またはバックアップ結果の情報を送信６６０してもよい。
【００５０】
図７は、本発明の一実施形態において、端末に格納されたファイルを選択する画面の一例を示す図である。第１画面７１０は、モバイル端末にインストールされたメッセンジャーのファイル送信インターフェースを示している。ここで、第１ユーザが点線ボックス７１１で表示された「携帯写真／動画を選択」機能を選択した場合、第２画面７２０のように端末に格納されたファイルを選択するためのファイル選択インターフェースが提供されてもよい。ここで、ファイル選択インターフェースを介してユーザが送信するためのファイルを選択すれば、図２によって説明した過程を介して選択されたファイルを臨時格納システム１３０に格納してもよく、現在第１ユーザと対話中の或いは第１ユーザによって選択された第２ユーザに送信されてもよい。ここで、ファイルは、図４及び図５によって説明したように第２ユーザの端末で直接ダウンロードされたり、または第２ユーザと関連して第２ユーザのファイルが格納されるウェブ格納システム１２０の格納空間に格納されてもよい。
【００５１】
図８は、本発明の一実施形態において、ウェブ格納システムに格納されたファイルを選択する画面の一例を示す図である。第１画面８１０は、モバイル端末にインストールされたメッセンジャーのファイル送信インターフェースを示している。ここで、第１ユーザが点線ボックス８１１で表示された「Ｎドライブからファイル選択」機能を選択する場合、第２画面８２０と共に「Ｎドライブ」に格納されたファイルを選択するためのファイル選択インターフェースを提供してもよい。ここで、「Ｎドライブ」は、ウェブ格納システム１２０で提供するサービス名の一例である。すなわち、第１ユーザは、メッセンジャーで提供するファイル選択インターフェースを介してウェブ格納システム１２０に格納された第１ユーザのファイルのうち送信するためのファイルを選択してもよい。ここで、ファイル選択インターフェースを介して第１ユーザが送信するためのファイルを選択すれば、図３によって説明した過程を介して選択されたファイルが臨時格納システム１３０に格納されてもよく、第１ユーザと対話中の、あるいは第１ユーザによって選択された第２ユーザに送信されてもよい。ここで、ファイルは、図４及び図５によって説明したように第２ユーザの端末で直接ダウンロードしたり、または第２ユーザと関連して第２ユーザのファイルが格納されるウェブ格納システム１２０の格納空間に格納してもよい。
【００５２】
図９は、本発明の一実施形態において、ファイル送信時の画面とファイル送信を承認するための画面の一例を示す図である。ここで、第１画面９１０は、ファイルを第２ユーザに送信しようとする第１ユーザの画面を示す。すなわち、送信しようとするファイルをファイル送信管理システム１００に送信する画面を示す。また、第２画面９２０は、ファイル送信リクエスト時に第２ユーザの端末に現れる画面の一例である。すなわち、第２ユーザは、前記の第１ユーザによるファイル送信を承認したり拒否することができる。ここで、前記の第１ユーザによるファイル送信が承認されれば、該当ファイルは第２ユーザの端末に格納されてもよい。また、第２ユーザは、第２画面９２０に現れた「Ｎドライブへ」機能を用いて、該当ファイルがウェブ格納システム１２０の格納空間に格納されるようにしてもよい。
【００５３】
図１０は、本発明の一実施形態において、ファイル送信管理システムの内部構成を説明するためのブロック図である。本実施形態に係るファイル送信管理システム１０００は、図１０に示すようにファイル送信管理部１０１０を備えてもよい。
【００５４】
ファイル送信管理部１０１０は、モバイルメッセージングサービスを介して第１ユーザが第１ユーザと関連するウェブ格納空間に格納されたファイルの送信をリクエストする場合、第１ユーザと関連するウェブ格納空間からファイルを受信するか、または第１ユーザからのリクエストによって受信したファイルを第２ユーザと関連するウェブ格納空間に格納する。
【００５５】
一実施形態において、ファイル送信管理部１０１０は、第１ユーザがモバイルメッセージングサービスを介して第２ユーザにファイル送信をリクエストする場合、第１ユーザと関連するウェブ格納空間に格納されたユーザのファイルのうち第１ユーザによって選択されたファイルを受信するアップロード管理部１０１１、及びファイルをリクエストに対応する第２ユーザに提供するダウンロード管理部１０１２を備えてもよい。この場合、ダウンロード管理部１０１２は、第２ユーザの選択によってファイルを第２ユーザの端末に送信したり、または第２ユーザと関連するウェブ格納空間に格納してもよい。ここで、第２ユーザと関連するウェブ格納空間に格納されたファイルは、第２ユーザに割り当てた格納空間のうち第２ユーザによって選択された経路に対応する格納空間に格納してもよい。
【００５６】
また、ファイル送信管理部１０１０は、他の実施形態において、第１ユーザのモバイル端末に格納されたファイルのうち第１ユーザによって選択されたファイルを第１ユーザのモバイル端末から受信するか、または第１ユーザと関連するウェブ格納空間に格納されたファイルのうち第１ユーザによって選択されたファイルを第１ユーザと関連するウェブ格納空間から受信するアップロード管理部１０１１、及び第１モバイル端末または第１ユーザと関連するウェブ格納空間から受信したファイルを第２ユーザと関連するウェブ格納空間に格納するダウンロード管理部１０１２を備えてもよい。この場合、第２ユーザと関連するウェブ格納空間に格納されたファイルは、第２ユーザに割り当てられた格納空間のうち第２ユーザによって選択された経路に対応する格納空間に格納してもよい。
【００５７】
また、第１ユーザのファイル送信リクエストによって受信したファイルは、ファイル送信システム１０００と関連する臨時格納システムに格納してもよい。ここで、ファイル送信管理部１０１０は、第２ユーザがファイルの送信を承認する場合、臨時格納システムから格納されたファイルを受信して第２ユーザに提供してもよい。
【００５８】
さらに、ファイル送信管理部１０１０は、モバイルメッセージングサービスを介するユーザ間の対話内容をユーザと関連するウェブ格納空間、またはファイル送信管理システム１０００と関連するメールサーバに格納してユーザ間の対話内容をバックアップしてもよい。
【００５９】
これに対し、ファイル送信管理システム１０００は、モバイルメッセージングサービスを用いるユーザの端末を介する接続セッションを管理するセッション管理部１０２０をさらに備えてもよい。ここで、セッション管理部１０２０は、ファイル送信に係る送信状態情報及び送信結果情報をユーザの端末に送信してもよい。このようなセッション管理部１０２０は、図１によって説明したように、別のシステムとしてファイル送信管理システム１０００と関連してもよく、図１０のように、ファイル送信管理システム１０００にモジュール化して備えてもよい。
【００６０】
このように、本発明の実施形態によれば、モバイルメッセージングサービスにおけるファイル送信時に、ユーザの端末からアップロードされるファイル、またはユーザのウェブ格納空間に格納されたファイルのうちユーザから選択されたファイルを受信して他のユーザに提供してもよい。また、モバイルメッセージングサービスにおけるファイル送信時に、ファイルが提供されるユーザの端末に該当ファイルを送信したり、またはファイルが提供されるユーザのウェブ格納空間に該当ファイルを格納してもよい。
【００６１】
本発明の実施形態に係る方法は、多様なコンピュータ手段によって実行することのできるプログラム命令形態で実現され、コンピュータ読み出し可能媒体に記録されてもよい。前記記録媒体は、プログラム命令、データファイル、データ構造などを単独または組み合わせたものを備えてもよい。前記記録媒体及びプログラム命令は、本発明の目的のために特別に設計して構成されたものであってもよく、コンピュータソフトウェア分野の技術を有する当業者にとって公知のものであり使用可能なものであってもよい。
【００６２】
上述したように本発明を限定された実施形態と図面によって説明したが、本発明は、上記実施形態に限定されることなく、本発明が属する分野における通常の知識を有する者であれば、このような実施形態から多様な修正及び変形が可能である。
【００６３】
したがって、本発明の範囲は、開示された実施形態に限定されて定められるものではなく、特許請求の範囲及び特許請求の範囲と均等なものなどによって定められるものである。
【符号の説明】
【００６４】
１００：ファイル送信管理システム
１１０：クライアント
１２０：ウェブ格納システム
１３０：臨時格納システム
１４０：セッション制御サーバ
１５０：ＤＢＧＷ
１６０：メールサーバ
【図２】
0005405550.tif 000002
【図３】
0005405550.tif 000003
【図４】
0005405550.tif 000004
【図５】
0005405550.tif 000005
【図６】
0005405550.tif 000006
【図１】
0005405550.tif 000007
【図７】
0005405550.tif 000008
【図８】
0005405550.tif 000009
【図９】
0005405550.tif 000010
【図１０】
0005405550.tif 000011